(57)【特許請求の範囲】
【請求項１】
移動局装置と、前記移動局装置に制御情報を送信する基地局装置を有する無線通信システムにおいて、
前記基地局装置は、
前記制御情報が配置される候補である、共通探索領域の物理下りリンク制御チャネル候補と移動局装置固有探索領域の物理下りリンク制御チャネル候補の夫々の制御情報のペイロードサイズが同じであり、前記夫々の制御情報が異なる情報を含み、前記共通探索領域の物理下りリンク制御チャネル候補と前記移動局装置固有探索領域の物理下りリンク制御チャネル候補とが同じ番号の制御チャネル要素から構成される場合には、前記共通探索領域の物理下りリンク制御チャネル候補にのみ前記制御情報を配置して送信し、
前記移動局装置は、
前記共通探索領域でのみ物理下りリンク制御チャネルを用いて前記制御情報が送信されたとして、前記制御情報の受信処理を行なうことを特徴とする無線通信システム。
【請求項２】
移動局装置に制御情報を送信する基地局装置において、
前記制御情報が配置される候補である、共通探索領域の物理下りリンク制御チャネル候補と移動局装置固有探索領域の物理下りリンク制御チャネル候補の夫々の制御情報のペイロードサイズが同じであり、前記夫々の制御情報が異なる制御情報を含み、前記共通探索領域の物理下りリンク制御チャネル候補と前記移動局装置固有探索領域の物理下りリンク制御チャネル候補とが同じ番号の制御チャネル要素から構成される場合には、前記共通探索領域の物理下りリンク制御チャネル候補にのみ前記制御情報を配置して送信することを特徴とする基地局装置。
【請求項３】
基地局装置から送信される制御情報を受信する移動局装置において、
前記基地局装置において、前記制御情報が配置される候補である、共通探索領域の物理下りリンク制御チャネル候補と移動局装置固有探索領域の物理下りリンク制御チャネル候補の夫々の制御情報のペイロードサイズが同じであり、前記夫々の制御情報が異なる制御情報を含み、前記共通探索領域の物理下りリンク制御チャネル候補と前記移動局装置固有探索領域の物理下りリンク制御チャネル候補とが同じ番号の制御チャネル要素から構成される場合には、
前記共通探索領域でのみ物理下りリンク制御チャネルを用いて前記制御情報が送信されたとして、前記制御情報の受信処理を行なうことを特徴とする移動局装置。
【請求項４】
移動局装置に制御情報を送信する基地局装置に用いられる無線通信方法において、
前記制御情報が配置される候補である、共通探索領域の物理下りリンク制御チャネル候補と移動局装置固有探索領域の物理下りリンク制御チャネル候補の夫々の制御情報のペイロードサイズが同じであり、前記夫々の制御情報が異なる制御情報を含み、前記共通探索領域の物理下りリンク制御チャネル候補と前記移動局装置固有探索領域の物理下りリンク制御チャネル候補とが同じ番号の制御チャネル要素から構成される場合には、前記共通探索領域の物理下りリンク制御チャネル候補にのみ前記制御情報を配置して送信することを特徴とする基地局装置に用いられる無線通信方法。
【請求項５】
基地局装置から送信される制御情報を受信する移動局装置に用いられる無線通信方法において、
前記基地局装置において、前記制御情報が配置される候補である、共通探索領域の物理下りリンク制御チャネル候補と移動局装置固有探索領域の物理下りリンク制御チャネル候補の夫々の制御情報のペイロードサイズが同じであり、前記夫々の制御情報が異なる制御情報を含み、前記共通探索領域の物理下りリンク制御チャネル候補と前記移動局装置固有探索領域の物理下りリンク制御チャネル候補とが同じ番号の制御チャネル要素から構成される場合には、前記共通探索領域でのみ物理下りリンク制御チャネルを用いて前記制御情報が送信されたとして、前記制御情報の受信処理を行なうことを特徴とする移動局装置に用いられる無線通信方法。
【請求項６】
移動局装置に制御情報を送信する基地局装置に用いられる集積回路において、
前記制御情報が配置される候補である、共通探索領域の物理下りリンク制御チャネル候補と移動局装置固有探索領域の物理下りリンク制御チャネル候補の夫々の制御情報のペイロードサイズが同じであり、前記夫々の制御情報が異なる制御情報を含み、前記共通探索領域の物理下りリンク制御チャネル候補と前記移動局装置固有探索領域の物理下りリンク制御チャネル候補とが同じ番号の制御チャネル要素から構成される場合には、前記共通探索領域の物理下りリンク制御チャネル候補にのみ前記制御情報を配置して送信することを特徴とする基地局装置に用いられる集積回路。
【請求項７】
基地局装置から送信される制御情報を受信する移動局装置に用いられる集積回路において、
前記基地局装置において、前記制御情報が配置される候補である、共通探索領域の物理下りリンク制御チャネル候補と移動局装置固有探索領域の物理下りリンク制御チャネル候補の夫々の制御情報のペイロードサイズが同じであり、前記夫々の制御情報が異なる制御情報を含み、前記共通探索領域の物理下りリンク制御チャネル候補と前記移動局装置固有探索領域の物理下りリンク制御チャネル候補とが同じ番号の制御チャネル要素から構成される場合には、前記共通探索領域でのみ物理下りリンク制御チャネルを用いて前記制御情報が送信されたとして、前記制御情報の受信処理を行なうことを特徴とする移動局装置に用いられる集積回路。
【発明の詳細な説明】
【技術分野】
【０００１】
本発明は、無線通信システム、基地局装置、移動局装置、無線通信方法および集積回路に関する。
【背景技術】
【０００２】
セルラー移動通信の無線アクセス方式および無線ネットワークの進化（以下、「Long Term Evolution (LTE)」、または、「Evolved Universal Terrestrial Radio Access (EUTRA)」と称する。）が、第三世代パートナーシッププロジェクト（3rd Generation Partnership Project: 3GPP）において検討されている。ＬＴＥでは、基地局装置から移動局装置への無線通信（下りリンク）の通信方式として、マルチキャリア送信である直交周波数分割多重（Orthogonal Frequency Division Multiplexing: OFDM）方式が用いられる。また、移動局装置から基地局装置への無線通信（上りリンク）の通信方式として、シングルキャリア送信であるＳＣ−ＦＤＭＡ（Single-Carrier Frequency Division Multiple Access）方式が用いられる。
【０００３】
ＬＴＥでは、基地局装置は、移動局装置が送信するデータ送信用のチャネルであるＰＵＳＣＨ（Physical Uplink Shared Channel）および基地局装置が送信するデータ送信用のチャネルであるＰＤＳＣＨ（Physical Downlink Shared Channel）の無線リソース割り当て、符号化率、変調方式などを決定する。また、基地局装置は、当該無線リソース割り当てなどを示す下りリンク制御情報（Downlink Control Information: DCI）をＰＤＣＣＨ（Physical Downlink Control Channel）を用いて移動局装置に送信する。
【０００４】
以下、ＰＤＣＣＨについてより詳細に説明する。ＰＤＣＣＨは、１つまたは複数の制御チャネル要素（Control Channel Element: CCE）に配置される。制御チャネル要素は、ＰＤＣＣＨを配置する無線リソースの単位である。また、複数の制御チャネル要素から共通探索領域（Common Search Space）と移動局装置固有探索領域（User Equipment-specific Search Space）が構成される。
【０００５】
共通探索領域は、複数の移動局装置間で共通の領域であり、複数の移動局装置に対するＰＤＣＣＨおよび／または特定の移動局装置に対するＰＤＣＣＨが配置される領域である。共通探索領域は、予め定められた制御チャネル要素から構成される。移動局装置固有探索領域は、特定の移動局装置に対するＰＤＣＣＨが配置される領域であり、移動局装置毎に構成される領域である。共通探索領域と移動局装置固有探索領域は、ＰＤＣＣＨが配置される制御チャネル要素の数毎に異なる共通探索領域と移動局装置固有探索領域が構成される。尚、共通探索領域と移動局装置固有探索領域の一部または全部が重複してもよいし、異なる共通探索領域の一部または全部が重複してもよく、同じ移動局装置１に対する異なる移動局装置固有探索領域の一部または全部が重複してもよく、異なる移動局装置１に対する移動局装置固有探索領域の一部または全部が重複してもよい。
【０００６】
ＰＤＣＣＨで送信される下りリンク制御情報には複数のフォーマットが用意される。下りリンク制御情報のフォーマットをＤＣＩフォーマット（DCI format）と呼ぶ。ＤＣＩフォーマットは、他のＤＣＩフォーマットと同じビット数（または、「ペイロードサイズ（payload size）」とも称する。）のもの、異なるビット数のものがある。基地局装置は、下りリンク制御情報を基に生成した巡回冗長検査（Cyclic Redundancy Check: CRC）符号をＲＮＴＩ（Radio Network Temporary Identity）でスクランブル（scramble、またはmaskと称する）した系列を下りリンク制御情報に付加する。
【０００７】
移動局装置は、巡回冗長検査符号がいずれのＲＮＴＩでスクランブルされているかによって下りリンク制御情報の解釈を変更する。以下、下りリンク制御情報にＲＮＴＩでスクランブルされた巡回冗長検査符号が付加されていることを、単に下りリンク制御情報にＲＮＴＩが含まれている、またはＰＤＣＣＨにＲＮＴが含まれていると表現する。例えば、移動局装置は、下りリンク制御情報に含まれているＲＮＴＩから、下りリンク制御情報のＤＣＩフォーマットの種類を判別する。
【０００８】
基地局装置は、下りリンク制御情報を制御チャネル要素のビット数に合わせて符号化し、共通探索領域または移動局装置固有探索領域に配置する。尚、基地局装置は、同じビット数のＤＣＩフォーマットは同じ符号化を行い、異なるビット数のＤＣＩフォーマットは異なる符号化を行なう。つまり、ＤＣＩフォーマットのビット数によって基地局装置３がＤＣＩフォーマットに適用する符号化方式が異なるため、ＤＣＩフォーマットのビット数によって移動局装置におけるＤＣＩフォーマットの復号化の方法が異なる。したがって、移動局装置はＤＣＩフォーマットのビット数、または復号化の方法の違いからＤＣＩフォーマットの種類を判別することができる。ＤＣＩフォーマットのビット数が同じ場合、ＤＣＩフォーマットにＤＣＩフォーマットの種類を判別するための情報が含まれる、またはＤＣＩフォーマットの種類に対応したＲＮＴＩでスクランブルされた巡回冗長検査符号が付加されるなどの方法を用いて、移動局装置１がＤＣＩフォーマットの種類を判別できるようにする。
【０００９】
移動局装置１は、共通探索領域および移動局装置固有探索領域においてＰＤＣＣＨが配置される制御チャネル要素の候補全てを復号処理し、巡回冗長検査符号をＲＮＴＩでスクランブルした系列を更にＲＮＴＩでデスクランブル（descramble）し、デスクランブルした巡回冗長検査符号で誤りがないことを検出した場合にＰＤＣＣＨの取得に成功したと判断する。この処理をブラインドデコーディング（blind decoding）と呼ぶ。
【００１０】
また、３ＧＰＰでは、ＬＴＥより広帯域な周波数帯域を利用して、さらに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」と称する。）が検討されている。ＬＴＥ−Ａでは、ＬＴＥとの後方互換性(backward compatibility)を持つこと、つまり、ＬＴＥ−Ａの基地局装置が、ＬＴＥ−ＡおよびＬＴＥ両方の移動局装置と同時に無線通信を行うこと、およびＬＴＥ−Ａの移動局装置が、ＬＴＥ−ＡおよびＬＴＥ両方の基地局装置と無線通信を行えるようにすることが求められており、ＬＴＥ−ＡはＬＴＥと同一のチャネル構造を用いることが検討されている。
【００１１】
ＬＴＥ−Ａでは、ＬＴＥと同一のチャネル構造の周波数帯域（以下、「コンポーネントキャリア（Component Carrier; CC）」と称する。）を複数用いて、１つの周波数帯域（広帯域な周波数帯域）として使用する技術（周波数帯域集約；Spectrum aggregation、Carrier aggregation、Frequency aggregation等とも称される。）が検討されている。具体的には、周波数帯域集約を用いた通信では、下りリンクコンポーネントキャリア毎に、下りリンクのチャネルが送信され、上りリンクコンポーネントキャリア毎に上りリンクのチャネルが送信される。つまり、周波数帯域集約は、上りリンクと下りリンクにおいて、基地局装置と複数の移動局装置が複数のチャネルを、複数のキャリア要素を用いて、複数のデータ情報や複数の制御情報を同時に送受信する技術である。
【先行技術文献】
【非特許文献】
【００１２】
【非特許文献１】"3GPP TS36.213 v.9.0.1 (2009-12)", 2009-12-18.
【発明の概要】
【発明が解決しようとする課題】
【００１３】
しかしながら、従来の技術では、共通探索領域と移動局装置固有探索領域が重複（overlap）する、つまり共通探索領域と移動局装置固有探索領域のＰＤＣＣＨを配置する制御チャネル要素の候補が同じ数、同じ無線リソースから構成され、更にＰＤＣＣＨに含まれるＲＮＴＩが同じであり、共通探索領域と移動局装置固有探索領域それぞれで送信されるＤＣＩフォーマットのビット数が同じ場合、移動局装置はＤＣＩフォーマットの種類を識別することができないという問題があった。
【００１４】
本発明は上記の点に鑑みてなされたものであり、その目的は、共通探索領域と移動局装置固有探索領域が重複する無線通信システムにおいて、移動局装置がＤＣＩフォーマットの種類を識別することができる無線通信システム、基地局装置、移動局装置、無線通信方法および集積回路を提供することを目的とする。
【課題を解決するための手段】
【００１５】
（１）上記の目的を達成するために、本発明は、以下のような手段を講じた。すなわち、本発明の無線通信システムは、移動局装置と、前記移動局装置に制御情報を送信する基地局装置を有する無線通信システムにおいて、前記基地局装置は、前記制御情報が配置される候補である、共通探索領域の物理下りリンク制御チャネル候補と移動局装置固有探索領域の物理下りリンク制御チャネル候補の夫々の制御情報のペイロードサイズが同じであり、前記夫々の制御情報が異なる情報を含み、前記共通探索領域の物理下りリンク制御チャネル候補と前記移動局装置固有探索領域の物理下りリンク制御チャネル候補とが同じ番号の制御チャネル要素から構成される場合には、前記共通探索領域の物理下りリンク制御チャネル候補にのみ前記制御情報を配置して送信し、前記移動局装置は、前記共通探索領域でのみ物理下りリンク制御チャネルを用いて前記制御情報が送信されたとして、前記制御情報の受信処理を行なうことを特徴とする。
【００１６】
（２）また、本発明の基地局装置は、移動局装置に制御情報を送信する基地局装置において、前記制御情報が配置される候補である、共通探索領域の物理下りリンク制御チャネル候補と移動局装置固有探索領域の物理下りリンク制御チャネル候補の夫々の制御情報のペイロードサイズが同じであり、前記夫々の制御情報が異なる制御情報を含み、前記共通探索領域の物理下りリンク制御チャネル候補と前記移動局装置固有探索領域の物理下りリンク制御チャネル候補とが同じ番号の制御チャネル要素から構成される場合には、前記共通探索領域の物理下りリンク制御チャネル候補にのみ前記制御情報を配置して送信することを特徴とする。
【００１７】
（３）また、本発明の移動局装置は、基地局装置から送信される制御情報を受信する移動局装置において、前記基地局装置において、前記制御情報が配置される候補である、共通探索領域の物理下りリンク制御チャネル候補と移動局装置固有探索領域の物理下りリンク制御チャネル候補の夫々の制御情報のペイロードサイズが同じであり、前記夫々の制御情報が異なる制御情報を含み、前記共通探索領域の物理下りリンク制御チャネル候補と前記移動局装置固有探索領域の物理下りリンク制御チャネル候補とが同じ番号の制御チャネル要素から構成される場合には、前記共通探索領域でのみ物理下りリンク制御チャネルを用いて前記制御情報が送信されたとして、前記制御情報の受信処理を行なうことを特徴とする。
【００１８】
（４）また、本発明の無線通信方法は、移動局装置に制御情報を送信する基地局装置に用いられる無線通信方法において、前記制御情報が配置される候補である、共通探索領域の物理下りリンク制御チャネル候補と移動局装置固有探索領域の物理下りリンク制御チャネル候補の夫々の制御情報のペイロードサイズが同じであり、前記夫々の制御情報が異なる制御情報を含み、前記共通探索領域の物理下りリンク制御チャネル候補と前記移動局装置固有探索領域の物理下りリンク制御チャネル候補とが同じ番号の制御チャネル要素から構成される場合には、前記共通探索領域の物理下りリンク制御チャネル候補にのみ前記制御情報を配置して送信することを特徴とする基地局装置に用いられる。
【００１９】
（５）また、本発明の無線通信方法は、基地局装置から送信される制御情報を受信する移動局装置に用いられる無線通信方法において、前記基地局装置において、前記制御情報が配置される候補である、共通探索領域の物理下りリンク制御チャネル候補と移動局装置固有探索領域の物理下りリンク制御チャネル候補の夫々の制御情報のペイロードサイズが同じであり、前記夫々の制御情報が異なる制御情報を含み、前記共通探索領域の物理下りリンク制御チャネル候補と前記移動局装置固有探索領域の物理下りリンク制御チャネル候補とが同じ番号の制御チャネル要素から構成される場合には、前記共通探索領域でのみ物理下りリンク制御チャネルを用いて前記制御情報が送信されたとして、前記制御情報の受信処理を行なうことを特徴とする移動局装置に用いられる。
【００２０】
（６）また、本発明の集積回路は、移動局装置に制御情報を送信する基地局装置に用いられる集積回路において、前記制御情報が配置される候補である、共通探索領域の物理下りリンク制御チャネル候補と移動局装置固有探索領域の物理下りリンク制御チャネル候補の夫々の制御情報のペイロードサイズが同じであり、前記夫々の制御情報が異なる制御情報を含み、前記共通探索領域の物理下りリンク制御チャネル候補と前記移動局装置固有探索領域の物理下りリンク制御チャネル候補とが同じ番号の制御チャネル要素から構成される場合には、前記共通探索領域の物理下りリンク制御チャネル候補にのみ前記制御情報を配置して送信することを特徴とする基地局装置に用いられる。
【００２１】
（７）また、本発明の集積回路は、基地局装置から送信される制御情報を受信する移動局装置に用いられる集積回路において、前記基地局装置において、前記制御情報が配置される候補である、共通探索領域の物理下りリンク制御チャネル候補と移動局装置固有探索領域の物理下りリンク制御チャネル候補の夫々の制御情報のペイロードサイズが同じであり、前記夫々の制御情報が異なる制御情報を含み、前記共通探索領域の物理下りリンク制御チャネル候補と前記移動局装置固有探索領域の物理下りリンク制御チャネル候補とが同じ番号の制御チャネル要素から構成される場合には、前記共通探索領域でのみ物理下りリンク制御チャネルを用いて前記制御情報が送信されたとして、前記制御情報の受信処理を行なうことを特徴とする移動局装置に用いられる。
【発明の効果】
【００２２】
この発明によれば、移動局装置がＤＣＩフォーマットの種類を識別することができる。
【図面の簡単な説明】
【００２３】
【図１】本発明の第１の実施形態に係る無線通信システムの概念図である。
【図２】本発明の周波数帯域集約処理の一例を示す図である。
【図３】本発明の下りリンクの無線フレームの構成の一例を示す概略図である。
【図４】本発明の探索領域の一例を示す概略図である。
【図５】本発明の下りリンク制御情報の符号化方法および配置方法を示す概略図である。
【図６】本発明の移動局装置１と基地局装置３の動作の一例を示すフローチャート図である。
【図７】本発明の基地局装置３の構成を示す概略ブロック図である。
【図８】本発明の移動局装置１の構成を示す概略ブロック図である。
【図９】本発明の第３の実施形態に係る探索領域の一例を示す概略図である。
【発明を実施するための形態】
【００２４】
（第１の実施形態）
以下、図面を参照しながら本発明の第１の実施形態について詳しく説明する。
【００２５】
図１は、本発明の第１の実施形態に係る無線通信システムの概念図である。図１において、無線通信システムは、移動局装置１Ａ〜１Ｃ、および基地局装置３を具備する。図１は、基地局装置３から移動局装置１Ａ〜１Ｃへの無線通信（下りリンク）では、同期チャネル（Synchronization Channel: SCH）、下りリンクパイロットチャネル（または、「下りリンク参照信号（Downlink Reference Signal: DL RS）」とも称する。）、物理報知チャネル（Physical Broadcast Channel: PBCH）、物理下りリンク制御チャネル（Physical Downlink Control Channel: PDCCH）、物理下りリンク共用チャネル（Physical Downlink Shared Channel: PDSCH）、物理マルチキャストチャネル（Physical Multicast Channel: PMCH）、物理制御フォーマットインディケータチャネル（Physical Control Format Indicator Channel: PCFICH）、物理ＨＡＲＱインディケータチャネル（Physical Hybrid ARQ Indicator Channel: PHICH）が割り当てられることを示す。
【００２６】
また、図１は、移動局装置１Ａ〜１Ｃから基地局装置３への無線通信（上りリンク）では、上りリンクパイロットチャネル（または、「上りリンク参照信号（Uplink Reference Signal: UL RS)」とも称する。）、物理上りリンク制御チャネル（Physical Uplink Control Channel: PUCCH）、物理上りリンク共用チャネル（Physical Uplink Shared Channel: PUSCH）、物理ランダムアクセスチャネル（Physical Random Access Channel: PRACH）が割り当てられることを示す。以下、移動局装置１Ａ〜１Ｃを移動局装置１という。
【００２７】
図２は、本発明の周波数帯域集約処理の一例を示す図である。図２において、横軸は周波数領域、縦軸は時間領域を示す。図２に示すように、下りリンクのサブフレームＤ１は、２０ＭＨｚの帯域幅を持った３つの下りリンクコンポーネントキャリア（DL CC-1; Downlink Component Carrier-1、DL CC-2、DL CC-3、DL CC-4）のサブフレームによって構成されている。この下りリンクコンポーネントキャリアのサブフレーム各々には、格子状の線でハッチングした領域が示すＰＤＣＣＨが配置される領域と、ハッチングをしない領域が示すＰＤＳＣＨが配置される領域が時間多重される。例えば、基地局装置３は、ある下りリンクのサブフレームにおいて、３つの下りリンクコンポーネントキャリアのうち１つまたは複数の下りリンクコンポーネントキャリアのＰＤＳＣＨに信号を配置して、移動局装置１へ送信する。
【００２８】
一方、上りリンクのサブフレームＵ１は、２０ＭＨｚの帯域幅を持った３つのコンポーネントキャリア（UL CC-1; Uplink Component Carrier-1、UL CC-2、UL CC-3）によって構成されている。この上りリンクコンポーネントキャリアのサブフレーム各々には、斜めの格子状の線でハッチングした領域が示すＰＵＣＣＨが配置される領域と、左斜線でハッチングした領域が示すＰＵＳＣＨが配置される領域とが配置される領域が周波数多重される。例えば、移動局装置１は、ある上りリンクのサブフレームにおいて、３つの上りリンクコンポーネントキャリアのうち１つまたは複数の上りリンクコンポーネントキャリアのＰＵＳＣＨに信号を配置して、基地局装置３へ送信する。
【００２９】
図３は、本発明の下りリンクの無線フレームの構成の一例を示す概略図である。図３は、ある下りリンクコンポーネントキャリアにおける無線フレームの構成を示す。図３において、横軸は時間領域、縦軸は周波数領域である。図３に示すように、下りリンクコンポーネントキャリアの無線フレームは、複数の下りリンクの物理リソースブロック（Physical Resource Block; PRB）ペア（例えば、図３の破線で囲まれた領域）から構成されている。この下りリンクの物理リソースブロックペアは、無線リソースの割り当てなどの単位であり、予め決められた幅の周波数帯（PRB帯域幅；１８０kHz）および時間帯（２個のスロット＝１個のサブフレーム；１ms）からなる。
【００３０】
１個の下りリンクの物理リソースブロックペアは、時間領域で連続する２個の下りリンクの物理リソースブロック（PRB帯域幅×スロット）から構成される。１個の下りリンクの物理リソースブロック（図３において、太線で囲まれている単位）は、周波数領域において１２個のサブキャリア（１５kHz）から構成され、時間領域において７個のＯＦＤＭ（Orthogonal Frequency Division Multiplexing）シンボル（７１μs）から構成される。
【００３１】
時間領域においては、７個のＯＦＤＭシンボル（７１μs）から構成されるスロット（０．５ms）、２個のスロットから構成されるサブフレーム（１ms）、１０個のサブフレームから構成される無線フレーム（１０ms）がある。周波数領域においては、下りリンクコンポーネントキャリアの帯域幅に応じて複数の下りリンクの物理リソースブロックが配置される。尚、１個のサブキャリアと１個のＯＦＤＭシンボルから構成されるユニットを下りリンクのリソースエレメントと称する。
【００３２】
以下、下りリンクの無線フレーム内に割り当てられるチャネルについて説明をする。下りリンクの各サブフレームでは、例えば、ＰＤＣＣＨ、ＰＤＳＣＨ、および下りリンク参照信号が割り当てられる。まず、ＰＤＣＣＨについて説明をする。ＰＤＣＣＨはサブフレームの先頭のＯＦＤＭシンボルから（図３において、左斜線でハッチングされた領域）配置される。尚、ＰＤＣＣＨが配置されるＯＦＤＭシンボルの数は１から３でありサブフレーム毎に異なる。ＰＤＣＣＨには、下りリンクアサインメント（Downlink assignment、またDownlink grantとも称する。）、上りリンクグラント（Uplink grant）などの情報フォーマットで構成される、通信の制御に用いられる情報である下りリンク制御情報（Downlink Control Information: DCI）の信号が配置される。
【００３３】
下りリンクアサインメントは、ＰＤＳＣＨに対する変調方式を示す情報、符号化方式を示す情報、無線リソースの割り当てを示す情報、ＨＡＲＱ（Hybrid Automatic Repeat Request）に関する情報、ＴＰＣコマンドなどから構成される。また、上りリンクグラントは、ＰＵＳＣＨに対する変調方式を示す情報、符号化方式を示す情報、無線リソースの割り当てを示す情報、ＨＡＲＱに関する情報、ＴＰＣコマンドなどから構成される。尚、ＨＡＲＱとは、例えば、移動局装置１（基地局装置３）がデータ情報の復号の成否（Acknowledgement/Negative Acknowledgement: ACK/NACK）を基地局装置３（移動局装置１）に送信し、移動局装置１（基地局装置３）が誤りによりデータ情報を復号できない（NACK）場合に基地局装置３（移動局装置１）が信号を再送し、移動局装置１（基地局装置３）が再度受信した信号とすでに受信した信号との合成信号に対して復号処理を行なう技術である。
【００３４】
次に、ＰＤＳＣＨについて説明をする。ＰＤＳＣＨはサブフレームのＰＤＣＣＨが配置されるＯＦＤＭシンボル以外のＯＦＤＭシンボル（図２において、ハッチングされない領域）に配置される。ＰＤＳＣＨには、データ情報（トランスポートブロック: Transport Block）の信号が配置される。ＰＤＳＣＨの無線リソースは、下りリンクアサインメントを用いて割り当てられる。ＰＤＳＣＨの無線リソースは、時間領域において、このＰＤＳＣＨの割り当てに用いられた下りリンクアサインメントを含むＰＤＣＣＨと同一の下りリンクのサブフレームに配置され、周波数領域において、このＰＤＳＣＨの割り当てに用いられた下りリンクアサインメントを含むＰＤＣＣＨと同じ下りリンクコンポーネントキャリアおよび異なる下りリンクコンポーネントキャリアに配置される。
【００３５】
ＰＤＣＣＨには、下りリンクアサインメントがいずれの下りリンクコンポーネントキャリアで送信されるＰＤＳＣＨに対応するか、または上りリンクグラントがいずれの上りリンクコンポーネントキャリアで送信されるＰＵＳＣＨ対応するかを示す情報（以下、「キャリアインディケータ（carrier indicator）」と称する。）が含まれる。下りリンクアサインメントにキャリアインディケータが含まれない場合、下りリンクアサインメントは、下りリンクアサインメントが送信されたのと同じ下りリンクコンポーネントキャリアのＰＤＳＣＨに対応する。上りリンクグラントにキャリアインディケータが含まれない場合、上りリンクグラントは、上りリンクグラントが送信されたのと同じ下りリンクコンポーネントキャリアにリンクした上りリンクコンポーネントキャリアのＰＵＳＣＨに対応する。下りリンク参照信号については、説明の簡略化のため図２において図示を省略するが、下りリンク参照信号は周波数領域と時間領域において分散して配置される。
【００３６】
以下、ＰＤＣＣＨについてより詳細に説明する。ＰＤＣＣＨは、１つまたは複数の制御チャネル要素（Control Channel Element: CCE）に配置される。制御チャネル要素は、ＰＤＣＣＨが配置される領域（図３において、左斜線でハッチングされた領域）内の周波数領域及び時間領域において分散している複数の下りリンクのリソースエレメントから構成される。また、複数の制御チャネル要素から共通探索領域（Common Search Space）と移動局装置固有探索領域（User Equipment specific-Search Space）が構成される。
【００３７】
図４は、本発明の探索領域の一例を示す概略図である。図４において、横軸は制御チャネル要素を識別する番号である。図４において太線で囲まれている単位は、複数の連続した番号の制御チャネル要素から構成される、ＰＤＣＣＨが配置される候補（以下、「ＰＤＣＣＨ候補（PDCCH candidate）」と称する。）であり、図４において斜線でハッチングされたＰＤＣＣＨ候補は、移動局装置固有探索領域のＰＤＣＣＨ候補であり、図４において灰色でハッチングされたＰＤＣＣＨ候補は、共通探索領域のＰＤＣＣＨ候補である。
【００３８】
共通探索領域は、複数の移動局装置１間で共通の領域であり、複数の移動局装置１に対するＰＤＣＣＨおよび／または特定の移動局装置１に対するＰＤＣＣＨが配置される領域である。また、共通探索領域は、予め定められた制御チャネル要素から構成され、図４においては、０番から１５番の制御チャネル要素から共通探索領域が構成される。移動局装置固有探索領域は、特定の移動局装置１に対するＰＤＣＣＨが配置される領域であり、移動局装置１毎に構成される領域である。
【００３９】
共通探索領域と移動局装置固有探索領域は、ＰＤＣＣＨ候補を構成する制御チャネル要素の数毎に異なる共通探索領域と移動局装置固有探索領域が構成される。図４では、１つの制御チャネル要素から構成されるＰＤＣＣＨ候補と、２つの制御チャネル要素から構成されるＰＤＣＣＨ候補と、４つの制御チャネル要素から構成されるＰＤＣＣＨ候補と、８つの制御チャネル要素から構成されるＰＤＣＣＨ候補毎に異なる４つの移動局装置固有探索領域があり、４つの制御チャネル要素から構成されるＰＤＣＣＨ候補と、８つの制御チャネル要素から構成されるＰＤＣＣＨ候補毎に異なる２つの共通探索領域がある。
【００４０】
尚、共通探索領域と移動局装置固有探索領域を構成する制御チャネル要素の一部またはＰＤＣＣＨ候補の一部または全部が重複してもよいし、異なる共通探索領域の一部または全部が重複してもよく、同じ移動局装置１に対する異なる移動局装置固有探索領域の一部または全部が重複してもよく、異なる移動局装置１に対する移動局装置固有探索領域の一部または全部が重複してもよい。
【００４１】
尚、基地局装置３は、共通探索領域を下りリンクコンポーネントキャリア毎に構成する。また、基地局装置３は、移動局装置１毎に共通探索領域を監視する１つまたは複数の下りリンクコンポーネントキャリアを割り当て、当該割り当てた下りリンクコンポーネントキャリアを移動局装置に通知してもよい。尚、基地局装置３は、移動局装置固有探索領域を構成する１つまたは複数の下りリンクコンポーネントキャリアを移動局装置毎に割り当て、当該割り当てた下りリンクコンポーネントキャリアを移動局装置に通知してもよい。
【００４２】
下りリンクアサインメント、および上りリンクグラントなどの下りリンク制御情報には複数のフォーマットが用意される。下りリンク制御情報のフォーマットをＤＣＩフォーマット（DCI format）と呼ぶ。例えば、上りリンクグラントのＤＣＩフォーマットは、移動局装置１がＰＵＳＣＨを１つの送信アンテナポートで送信する場合に用いるＤＣＩフォーマット０、移動局装置１がＰＵＳＣＨをＭＩＭＯ（Multiple Input Multiple Output）ＳＭ（Spatial Multiplexing）で送信する場合に用いるＤＣＩフォーマット０Ａなどが用意される。
【００４３】
また、下りリンクグラントのＤＣＩフォーマットは、基地局装置３がＰＤＳＣＨを１つの送信アンテナポートまたは複数の送信アンテナポートで送信ダイバーシチ方式を用いて送信する場合に用いるＤＣＩフォーマット１およびＤＣＩフォーマットよりもビット数の少ないＤＣＩフォーマット１Ａ（１つのトランスポートブロックに関連する情報を含むＤＣＩフォーマット）およびページング情報などの無線リソース割り当てに用いられるＤＣＩフォーマット１Ａよりも更にビット数の少ないＤＣＩフォーマット１Ｃ、基地局装置がＰＤＳＣＨをＭＩＭＯ  ＳＭで送信する場合に用いるＤＣＩフォーマット２（１つまたは複数のトランスポートブロックに関連する情報を含むＤＣＩフォーマット）などが用意される。ＤＣＩフォーマット１およびＤＣＩフォーマット１ＡおよびＤＣＩフォーマット１ＣおよびＤＣＩフォーマット２のビット数は、ＤＣＩフォーマットそれぞれが対応する下りリンクコンポーネントキャリアに含まれる物理リソースブロック数によって変わり、ＤＣＩフォーマット０およびＤＣＩフォーマット０Ａのビット数は、ＤＣＩフォーマットそれぞれが対応する上りリンクコンポーネントキャリアに含まれる物理リソースブロック数によって変わる。
【００４４】
ＤＣＩフォーマット０とＤＣＩフォーマット１Ａは、ビット数の少ないほうにビットを挿入することで、この２つのＤＣＩフォーマットのサイズを同じにし、フォーマットを識別するためのフラグを含める。ビットを挿入してＤＣＩフォーマット０とＤＣＩフォーマット１Ａのビットサイズを同じにしたものをＤＣＩフォーマット０／１Ａと呼ぶ。
【００４５】
ＤＣＩフォーマット１Ｃは、共通探索領域にのみ配置することができる。キャリアインディケータを含まないＤＣＩフォーマット０／１Ａは、共通探索領域と移動局装置固有探索領域の両方に配置することができる。キャリアインディケータを含むＤＣＩフォーマット０／１Ａは移動局装置固有探索領域にのみ配置することができる。ＤＣＩフォーマット０ＡおよびＤＣＩフォーマット２はキャリアインディケータを含む場合と含まない場合の両方とも、移動局装置固有探索領域にのみ配置することができる。
【００４６】
図５は、本発明の下りリンク制御情報の符号化方法および配置方法を示す概略図である。まず基地局装置３は、下りリンク制御情報を基に生成した巡回冗長検査（Cyclic Redundancy Check: CRC）符号をＲＮＴＩ（Radio Network Temporary Identity）でスクランブル（scramble）した系列を下りリンク制御情報に付加する。移動局装置１は、巡回冗長検査符号がいずれのＲＮＴＩでスクランブルされているかによって下りリンク制御情報の解釈を変更する。例えば、移動局装置１は、自装置が基地局装置３から割り当てられたＣ−ＲＮＴＩ（Cell-Radio Network Temporary Identity）で巡回冗長検査符号がスクランブルされていた場合、下りリンク制御情報が自装置宛の無線リソースを示すものだと判断する。以下、下りリンク制御情報にＲＮＴＩでスクランブルされた巡回冗長検査符号が付加されていることを、単に下りリンク制御情報にＲＮＴＩが含まれている、またはＰＤＣＣＨにＲＮＴＩが含まれていると表現する。
【００４７】
次に基地局装置３は、下りリンク制御情報を、符号化した下りリンク制御情報を配置するＰＤＣＣＨ候補のビット数に合わせて符号化し、共通探索領域または移動局装置固有探索領域のＰＤＣＣＨ候補に配置する。尚、基地局装置３は、同じビット数のＤＣＩフォーマットは同じ符号化を行い、異なるビット数のＤＣＩフォーマットは異なる符号化を行なう。つまり、ＤＣＩフォーマットのビット数（または、「ペイロードサイズ（payload size）」とも称する。）によって基地局装置３がＤＣＩフォーマットに適用する符号化方式が異なるため、ＤＣＩフォーマットのビット数によって移動局装置１におけるＤＣＩフォーマットの復号化の方法が異なる。したがって、移動局装置１はＤＣＩフォーマットのビット数、または復号化の方法の違いからＤＣＩフォーマットの種類を判別することができる。ＤＣＩフォーマットのビット数が同じ場合、ＤＣＩフォーマットにＤＣＩフォーマットの種類を判別するための情報が含まれる、またはＤＣＩフォーマットの種類に対応したＲＮＴＩでスクランブルされた巡回冗長検査符号が付加されるなどの方法を用いて、移動局装置１がＤＣＩフォーマットの種類を判別できるようにする。
【００４８】
移動局装置１は、共通探索領域および移動局装置固有探索領域においてＰＤＣＣＨが配置される候補全てをデコード処理し、巡回冗長検査符号をＲＮＴＩでスクランブルした系列を更にＲＮＴＩでデスクランブル（descramble）し、デスクランブルした巡回冗長検査符号で誤りがないことを検出した場合にＰＤＣＣＨの取得に成功したと判断する。この処理をブラインドデコーディング（blind decoding）と呼ぶ。
【００４９】
基地局装置３はページング情報およびシステム情報の更新情報のスケジューリングに使用されるＰ−ＲＮＴＩ（Paging-Radio Network Temporary Identity）を含むＰＤＣＣＨ、およびシステム情報のスケジューリングに使用されるＳＩ−ＲＮＴＩ（System Information-Radio Network Temporary Identity）を含むＰＤＣＣＨ、およびランダムアクセス応答のスケジューリングに使用されるＲＡ−ＲＮＴＩ（Random Access-Radio Network Temporary Identity）を含むＰＤＣＣＨを共通探索領域に配置し、移動局装置１は共通探索領域でＰ−ＲＮＴＩを含むＰＤＣＣＨ、およびＳＩ−ＲＮＴＩを含むＰＤＣＣＨ、およびＲＡ−ＲＮＴＩを含むＰＤＣＣＨをブラインドデコーディングする。Ｐ−ＲＮＴＩ、ＳＩ−ＲＮＴＩ、ＲＡ−ＲＮＴＩはＤＣＩフォーマット１ＣとＤＣＩフォーマット１Ａにのみ含まれる。
【００５０】
基地局装置３は、Ｃ−ＲＮＴＩを含むＰＤＣＣＨを共通探索領域またはＣ−ＲＮＴＩを割り当てた移動局装置１の移動局装置固有探索領域に配置し、移動局装置１は共通探索領域と移動局装置固有探索領域でＣ−ＲＮＴＩを含むＰＤＣＣＨをブラインドデコーディングする。具体的に基地局装置は、Ｃ−ＲＮＴＩを含みキャリアインディケータを含まないＤＣＩフォーマット０／１Ａを共通探索領域またはＣ−ＲＮＴＩを割り当てた移動局装置１の移動局装置固有探索領域に配置し、Ｃ−ＲＮＴＩを含みキャリアインディケータを含むＤＣＩフォーマット０／１ＡおよびＣ−ＲＮＴＩを含むＤＣＩフォーマット０ＡおよびＣ−ＲＮＴＩを含むＤＣＩフォーマット２をＣ−ＲＮＴＩを割り当てた移動局装置１の移動局装置固有探索領域に配置する。
【００５１】
尚、基地局装置３は、移動局装置１毎に移動局装置１がブラインドデコーディングするＤＣＩフォーマットの種類および移動局装置固有探索領域に配置されるＤＣＩフォーマットにキャリアインディケータが含まれるかを下りリンクコンポーネントキャリア毎に指示することができる。
【００５２】
図６は、本発明の移動局装置１と基地局装置３の動作の一例を示すフローチャート図である。図６は、ＤＣＩフォーマットのビット数を計算する方法を説明するためのフローチャート図であり、移動局装置１と基地局装置３は同じ方法でＤＣＩフォーマットのビット数を計算する。処理が開始されると、移動局装置１と基地局装置３は、下りリンクコンポーネントキャリアに含まれる物理リソースブロック数、上りリンクコンポーネントキャリアに含まれる物理リソースブロック数、ＤＣＩフォーマットにキャリアインディケータが含まれるかなどに基づいて、ＤＣＩフォーマットの無線リソースの割り当てを示すフィールドなどのビット数を計算し、ＰＤＳＣＨまたはＰＵＳＣＨの無線リソースの割り当てを示すＤＣＩフォーマットのビット数を計算する。（ステップＳ１００）。
【００５３】
移動局装置１と基地局装置３は、共通探索領域と移動局装置固有探索領域が重複している領域にＤＣＩフォーマットが配置されるかを判定する（ステップＳ１０１）。尚、共通探索領域と移動局装置固有探索領域が重複するとは、図４の８番から１５番の制御チャネル要素から構成されるＰＤＣＣＨ候補のように、同じ制御チャネル要素の番号から構成されるＰＤＣＣＨ候補が共通探索領域と移動局装置固有探索領域の両方に含まれることを言う。ステップＳ１０１において、共通探索領域と移動局装置固有探索領域が重複している領域にＤＣＩフォーマットが配置されない場合、移動局装置１と基地局装置３は、ＤＣＩフォーマットのビット数の計算に係る処理を終了する。
【００５４】
ステップＳ１０１において、共通探索領域と移動局装置固有探索領域が重複している領域にＤＣＩフォーマットが配置される場合、移動局装置１と基地局装置３は、ステップＳ１００で計算したＤＣＩフォーマットそれぞれのビット数を比較する（ステップＳ１０２）。ステップＳ１０２において、ステップＳ１００で計算したＤＣＩフォーマットそれぞれのビット数が全て異なる場合、移動局装置１と基地局装置３は、ＤＣＩフォーマットのビット数の計算に係る処理を終了する。つまり、同じＤＣＩフォーマットでも、共通探索領域と移動局装置固有探索領域が重複している領域に配置されるか、重複しない領域に配置されるかで、ビットを挿入されるかを切り替える。
【００５５】
ステップＳ１０２において、ステップＳ１００で計算したＤＣＩフォーマットそれぞれのビット数が同じであり、共通探索領域と移動局装置固有探索領域が重複する領域に配置するＤＣＩフォーマットがある場合、移動局装置１と基地局装置３は、どちらかのＤＣＩフォーマットに１ビットを挿入し（ステップＳ１０３）、ステップＳ１０２に戻りビットを挿入したＤＣＩフォーマットと他のＤＣＩフォーマットのビット数を再度比較する。尚、ステップＳ１０３で、どちらのＤＣＩフォーマットにビットを挿入するかは予め決めておく。つまり、ビットを挿入するＤＣＩフォーマットの優先順位を決めておく。
【００５６】
例えば、移動局装置１と基地局装置３がステップＳ１００にて計算したキャリアインディケータを含まないＤＣＩフォーマット０／１Ａのビット数が４０ビット、キャリアインディケータを含むＤＣＩフォーマット０／１Ａのビット数が４０ビット、キャリアインディケータを含むＤＣＩフォーマット２のビット数が４０ビットだとする。キャリアインディケータを含むＤＣＩフォーマット０／１Ａが対応する下りリンクコンポーネントキャリアおよび上りリンクコンポーネントキャリアに含まれる物理リソースブロックが、キャリアインディケータを含まないＤＣＩフォーマット０／１Ａが対応する下りリンクコンポーネントキャリアおよび上りリンクコンポーネントキャリアに含まれる物理リソースブロックよりも少ない場合、キャリアインディケータを含まないＤＣＩフォーマット０／１Ａのビット数（情報ビット数）と、キャリアインディケータを含むＤＣＩフォーマット０／１Ａのビット数（情報ビット数）が同じになることがある。
【００５７】
ステップＳ１０３において、ビットを挿入する順番は、共通探索領域に配置するＤＣＩフォーマット０／１Ａ、移動局装置固有探索領域に配置するＤＣＩフォーマット０／１Ａ、移動局装置固有探索領域に配置するＤＣＩフォーマット２の順番であり、移動局装置１と基地局装置３はこの順番を記憶しておく。ステップＳ１０１で、共通探索領域と移動局装置固有探索領域が重複する領域にＤＣＩフォーマットそれぞれが配置されない場合は、移動局装置１と基地局装置３は、ステップＳ１００で計算したＤＣＩフォーマットそれぞれのビット数をそのまま使う。
【００５８】
ステップＳ１０２にて、共通探索領域に配置するキャリアインディケータを含まないＤＣＩフォーマット０／１Ａと移動局装置固有探索領域に配置するキャリアインディケータを含むＤＣＩフォーマット０／１Ａのビット数それぞれが４０ビットで同じなので、移動局装置１と基地局装置３は、移動局装置固有探索領域に配置するキャリアインディケータを含むＤＣＩフォーマット０／１Ａに１ビットを挿入し、ビット数を４１ビットにし、ステップＳ１０３に戻る。
【００５９】
ステップＳ１０３に戻ったら、共通探索領域に配置するキャリアインディケータを含むＤＣＩフォーマット０／１Ａと移動局装置固有探索領域に配置するＤＣＩフォーマット２のビット数それぞれが４０ビットで同じなので、移動局装置１と基地局装置３は、移動局装置固有探索領域に配置するＤＣＩフォーマット２に１ビットを挿入し、ビット数を４１ビットにし、ステップＳ１０３に戻る。
【００６０】
ステップＳ１０３に戻ったら、移動局装置固有探索領域に配置するキャリアインディケータを含むＤＣＩフォーマット０／１Ａと、移動局装置固有探索領域に配置するキャリアインディケータを含むＤＣＩフォーマット２それぞれのビット数が４１ビットで同じなので、移動局装置１と基地局装置３は、移動局装置固有探索領域に配置するキャリアインディケータを含むＤＣＩフォーマット２に１ビットを挿入し、ビット数を４２ビットにし、ステップＳ１０３に戻る。
【００６１】
上記ステップの後、キャリアインディケータを含まないＤＣＩフォーマット０／１Ａのビット数が４０ビット（第２ペイロードサイズ）、キャリアインディケータを含むＤＣＩフォーマット０／１Ａのビット数が４１ビット（第１ペイロードサイズ）、キャリアインディケータを含むＤＣＩフォーマット２のビット数が４２ビット（第１ペイロードサイズ）になり、ＤＣＩフォーマットそれぞれのビット数が同じではなくなるので、移動局装置１と基地局装置３は、ＤＣＩフォーマットのビット数の計算に係る処理を終了する。
【００６２】
このように、共通探索領域に配置されるＤＣＩフォーマットよりも、移動局装置固有探索領域に配置されるＤＣＩフォーマットおよび／またはキャリアインディケータを含むＤＣＩフォーマットに優先的にビットを挿入することで、共通探索領域に配置されるＤＣＩフォーマットにビットが挿入されないようにすることで、共通探索領域に配置されるＤＣＩフォーマットのビット数を移動局装置間で同じにすることができる。
【００６３】
尚、移動局装置固有探索領域に配置するキャリアインディケータを含むＤＣＩフォーマット０／１Ａと、移動局装置固有探索領域に配置するキャリアインディケータを含むＤＣＩフォーマット２それぞれのキャリアインディケータが示す値が異なる場合は、キャリアインディケータが示す値からＤＣＩフォーマットを識別することができるため、移動局装置固有探索領域に配置するキャリアインディケータを含むＤＣＩフォーマット２にビットを挿入しない。つまり、移動局装置１と基地局装置３は、同じビット数の２つのＤＣＩフォーマットそれぞれに含まれるキャリアインディケータが示す値が同じか異なるかによって、ビットを挿入するかしないか決定する。
【００６４】
基地局装置３は、図６のフローチャート図に従って計算したＤＣＩフォーマットのビット数のＤＣＩフォーマットを生成し、符号化および変調をし、ＰＤＣＣＨで送信する。移動局装置１は、図６のフローチャート図に従って計算したＤＣＩフォーマットのビット数のＤＣＩフォーマットをブラインドデコーディングする。尚、移動局装置１と基地局装置３は、図６のフローチャート図に従ってサブフレーム毎にＤＣＩフォーマットのビット数を計算してもよいし、予め様々なＤＣＩフォーマットの組み合わせに対して計算したビット数を記憶しておいてもよい。
【００６５】
尚、図６のフローチャートにおいて、ステップＳ１０１を省略してもよい。ステップＳ１０１を省略することで、共通探索領域と移動局装置固有探索領域が重複しているかいないかによらず、共通探索領域に配置されるＤＣＩフォーマットと、移動局装置固有探索領域に配置されるＤＣＩフォーマットのビット数が同じ場合、移動局装置固有探索領域に配置されるＤＣＩフォーマットにビットが挿入される。これにより、共通探索領域と重複していない移動局装置固有探索領域に配置するＤＣＩフォーマットにも不要なビットが挿入されることになるが、移動局装置１と基地局装置３の装置構成を簡略化することができる。
【００６６】
図７は、本発明の基地局装置３の構成を示す概略ブロック図である。図示するように、基地局装置３は、上位層処理部１０１、制御部１０３、受信部１０５、送信部１０７、チャネル測定部１０９、および、送受信アンテナ１１１、を含んで構成される。また、上位層処理部１０１は、無線リソース制御部１０１１、スケジューリング部１０１３と下りリンク制御情報生成部１０１５を含んで構成される。また、受信部１０５は、復号化部１０５１、復調部１０５３、多重分離部１０５５と無線受信部１０５７を含んで構成される。また、送信部１０７は、符号化部１０７１、変調部１０７３、多重部１０７５、無線送信部１０７７と下りリンク参照信号生成部１０７９を含んで構成される。
【００６７】
上位層処理部１０１は、パケットデータ統合プロトコル（Packet Data Convergence Protocol: PDCP）層、無線リンク制御（Radio Link Control: RLC）層、無線リソース制御（Radio Resource Control: RRC）層の処理を行う。また、上位層処理部１０１はスケジューリング部１０１３などがスケジューリング結果などに基づき、受信部１０５、および送信部１０７の制御を行うために制御情報を生成し、制御部１０３に出力する。上位層処理部１０１が備える無線リソース制御部１０１１は、下りリンクのＰＤＳＣＨに配置する情報を生成、又は上位ノードから取得し、送信部１０７に出力する。また、無線リソース制御部１０１１は、移動局装置１各々の各種設定情報の管理をする。例えば、無線リソース制御部１０１１は、移動局装置１にＣ−ＲＮＴＩを割り当てるなどＲＮＴＩの管理を行なう。
【００６８】
上位層処理部１０１が備えるスケジューリング部１０１３は、移動局装置１からＰＵＣＣＨで通知された上りリンク制御情報（ＡＣＫ／ＮＡＣＫ、チャネル品質情報、スケジューリング要求）、および移動局装置１から通知されたバッファの状況や無線リソース制御部１０１１が設定した移動局装置１各々の各種設定情報に基づき、無線リソースの割り当て、符号化方式の設定、変調方式の設定などのスケジューリングを行なう。スケジューリング部１０１３は、上りリンクの無線リソースの中から、特定の移動局装置１がＰＵＳＣＨを配置する無線リソースを割り当てる。スケジューリング部１０１３は、特定の移動局装置１に対してＰＵＳＣＨを配置する無線リソースを割り当てる際に、チャネル測定部１０９から入力された上りリンクのチャネル測定結果を基に、チャネル品質の良い無線リソースを優先的に割り当てる。
【００６９】
また、スケジューリング部１０１３は、下りリンクの無線リソースの中から、ＰＤＳＣＨを配置する無線リソースを決定する。スケジューリング部１０１３は、当該無線リソースの割り当てを示す下りリンク制御情報を生成するよう下りリンク制御情報生成部１０１５に制御情報を出力する。また、スケジューリング部１０１３は、共通探索領域または移動局装置固有探索領域の中から下りリンク制御情報生成部１０１５が生成した下りリンク制御情報を配置するＰＤＣＣＨ候補を共通探索領域または移動局装置固有探索領域の中から割り当てる。スケジューリング部１０１３は、Ｃ−ＲＮＴＩを含む下りリンク制御情報を配置するＰＤＣＣＨ候補を、Ｃ−ＲＮＴＩを割り当てた移動局装置１の移動局装置固有探索領域と共通探索領域の中から選択する。
【００７０】
上位層処理部１０１が備える下りリンク制御情報生成部１０１５は、スケジューリング部１０１３から入力された制御情報に基づいて、上りリンクまたは下りリンクの無線リソースの割り当てを示す下りリンク制御情報を生成する。下りリンク制御情報生成部１０１５は、図６のフローチャート図に従って、下りリンク制御情報にビットを挿入する。次に、下りリンク制御情報生成部１０１５は、生成した下りリンク制御情報から巡回冗長検査符号を生成し、生成した巡回冗長検査符号をＲＮＴＩでスクランブルし、下りリンク制御情報に付加する。下りリンク制御情報生成部１０１５は、下りリンク制御情報が特定の移動局装置１に対する無線リソースの割り当てを示すものである場合、巡回冗長検査符号を当該移動局装置１に割り当てたＣ−ＲＮＴＩでスクランブルする。
【００７１】
制御部１０３は、上位層処理部１０１からの制御情報に基づいて、受信部１０５、および送信部１０７の制御を行う制御信号を生成する。制御部１０３は、生成した制御信号を受信部１０５、および送信部１０７に出力して受信部１０５、および送信部１０７の制御を行う。
【００７２】
受信部１０５は、制御部１０３から入力された制御信号に従って、送受信アンテナ１１１を介して移動局装置１から受信した受信信号を分離、復調、復号し、復号した情報を上位層処理部１０１に出力する。無線受信部１０５７は、送受信アンテナ１１１を介して受信した上りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去する。無線受信部１０５７は、ガードインターバルを除去した信号に対して高速フーリエ変換（Fast Fourier Transform: FFT）を行い、周波数領域の信号を抽出し多重分離部１０５５に出力する。
【００７３】
多重分離部１０５５は、無線受信部１０５７から入力された信号をＰＵＣＣＨ、ＰＵＳＣＨ、上りリンク参照信号などの信号に分離する。尚、この分離は、予め基地局装置３がスケジューリング部１０１３で決定し、各移動局装置１に通知した無線リソースの割り当て情報に基づいて行われる。また、多重分離部１０５５は、チャネル測定部１０９から入力された伝搬路の推定値から、ＰＵＣＣＨとＰＵＳＣＨの伝搬路の補償を行なう。また、多重分離部１０５５は、分離した上りリンク参照信号をチャネル測定部１０９に出力する。
【００７４】
復調部１０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、２位相偏移変調（Binary Phase Shift Keying: BPSK）、４相位相偏移変調（Quadrature Phase Shift Keying: QPSK）、１６値直交振幅変調（16Quadrature Amplitude Modulation: 16QAM）、６４値直交振幅変調（64Quadrature Amplitude Modulation: 64QAM）等の予め定められた、または基地局装置３が移動局装置１各々に下りリンク制御情報で予め通知した変調方式を用いて受信信号の復調を行なう。
【００７５】
復号化部１０５１は、復調したＰＵＣＣＨとＰＵＳＣＨの符号化ビットを、予め定められた符号化方式の、予め定められた、又は基地局装置３が移動局装置１に上りリンクグラントで予め通知した符号化率で復号を行ない、復号したデータ情報と、上りリンク制御情報を上位層処理部１０１へ出力する。チャネル測定部１０９は、多重分離部１０５５から入力された上りリンク参照信号から伝搬路の推定値、チャネルの品質などを測定し、多重分離部１０５５および上位層処理部１０１に出力する。
【００７６】
送信部１０７は、制御部１０３から入力された制御信号に従って、下りリンク参照信号を生成し、上位層処理部１０１から入力されたデータ情報、下りリンク制御情報を符号化、および変調し、ＰＤＣＣＨ、ＰＤＳＣＨ、および下りリンク参照信号を多重して、送受信アンテナ１１１を介して移動局装置１に信号を送信する。
【００７７】
符号化部１０７１は、上位層処理部１０１から入力された下りリンク制御情報、およびデータ情報を、ターボ符号化、畳込み符号化、ブロック符号化等の予め定められた、またはスケジューリング部１０１３が決定した符号化を行う。変調部１０７３は、符号化部１０７１から入力された符号化ビットをＱＰＳＫ、１６ＱＡＭ、６４ＱＡＭ等の予め定められた、またはスケジューリング部１０１３が決定した変調方式で変調する。下りリンク参照信号生成部１０７９は、基地局装置３を識別するためのセル識別子（Cell ID）などを基に予め定められた規則で求まる、移動局装置１が既知の系列を下りリンク参照信号として生成する。多重部１０７５は、変調した各チャネルと生成した下りリンク参照信号を多重する。
【００７８】
無線送信部１０７７は、多重した変調シンボルを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１１１に出力して送信する。
【００７９】
図８は、本発明の移動局装置１の構成を示す概略ブロック図である。図示するように、移動局装置１は、上位層処理部２０１、制御部２０３、受信部２０５、送信部２０７、チャネル測定部２０９、および、送受信アンテナ２１１を含んで構成される。また、上位層処理部２０１は、無線リソース制御部２０１１、スケジューリング部２０１３とブラインドデコーディング制御部２０１５を含んで構成される。また、受信部２０５は、復号化部２０５１、復調部２０５３、多重分離部２０５５と無線受信部２０５７を含んで構成される。また、送信部２０７は、符号化部２０７１、変調部２０７３、多重部２０７５、無線送信部２０７７と上りリンク参照信号生成部２０７９を含んで構成される。
【００８０】
上位層処理部２０１は、ユーザの操作等により生成された上りリンクのデータ情報を、送信部２０７に出力する。また、上位層処理部２０１は、パケットデータ統合プロトコル層、無線リンク制御層、無線リソース制御層の処理を行う。また、上位層処理部２０１は下りリンク制御情報などに基づき、受信部２０５、および送信部２０７の制御を行うために制御情報を生成し、制御部２０３に出力する。上位層処理部２０１が備える無線リソース制御部２０１１は、自装置の各種設定情報の管理を行なう。例えば、無線リソース制御部２０１１は、Ｃ−ＲＮＴＩなどのＲＮＴＩの管理を行なう。また、無線リソース制御部２０１１は、上りリンクの各チャネルに配置する情報を生成し送信部２０７に出力する。
【００８１】
上位層処理部２０１が備えるブラインドデコーディング制御部２０１５は、移動局装置１が検出すべきＤＣＩフォーマットの下りリンク制御情報を、共通探索領域および／または移動局装置固有探索領域においてブラインドデコーディングするよう受信部２０５の制御を行なうための制御情報を生成し、制御部２０３に出力する。ブラインドデコーディング制御部２０１５は、Ｃ−ＲＮＴＩを含むＰＤＣＣＨを共通探索領域および移動局装置固有探索領域でブラインドデコーディングするよう受信部２０５の制御を行なうための制御情報を生成し、制御部２０３に出力する。また、ブラインドデコーディング制御部２０１５は、ブラインドデコーディングをするＤＣＩフォーマットのビット数を図６のフローチャート図に従って、下りリンク制御情報のビットを計算する。
【００８２】
上位層処理部２０１が備えるスケジューリング部２０１３は、基地局装置３からＰＤＣＣＨで通知された下りリンク制御情報、およびＰＤＳＣＨで通知された無線リソース制御信号で設定された無線リソース制御部２０１１が管理する自装置の各種設定情報に基づき、受信部２０５、および送信部２０７の制御を行うために制御情報を生成し、制御部２０３に出力する。スケジューリング部２０１３は、受信部２０５から入力された下りリンクアサインメントに基づいて、ＰＤＳＣＨの多重分離、復調、復号をするよう受信部２０５の制御を行い、受信部２０５から入力された上りリンクグラントに基づいて、ＰＵＳＣＨの符号化、変調、多重を行なうよう送信部２０７の制御を行なうための制御情報を生成し、制御部２０３に出力する。
【００８３】
制御部２０３は、上位層処理部２０１からの制御情報に基づいて、受信部２０５、および送信部２０７の制御を行う制御信号を生成する。制御部２０３は、生成した制御信号を受信部２０５、および送信部２０７に出力して受信部２０５、および送信部２０７の制御を行う。受信部２０５は、制御部２０３から入力された制御信号に従って、送受信アンテナ２１１を介して基地局装置３から受信した受信信号を、分離、復調、復号し、復号した情報を上位層処理部２０１に出力する。
【００８４】
無線受信部２０５７は、送受信アンテナ２１１を介して受信した下りリンクの信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２０５７は、変換したディジタル信号からガードインターバルに相当する部分を除去し、ガードインターバルを除去した信号に対して高速フーリエ変換を行い、周波数領域の信号を抽出する。
【００８５】
多重分離部２０５５は、抽出した信号をＰＤＣＣＨ、ＰＤＳＣＨ、および下りリンク参照信号に、それぞれ分離する。尚、この分離は、下りリンク制御情報で通知された無線リソースの割り当て情報などに基づいて行われる。また、多重分離部２０５５は、チャネル測定部２０９から入力された伝搬路の推定値から、ＰＤＣＣＨとＰＤＳＣＨの伝搬路の補償を行なう。また、多重分離部２０５５は、分離した下りリンク参照信号をチャネル測定部２０９に出力する。
【００８６】
復調部２０５３は、ＰＤＣＣＨに対して、ＱＰＳＫ変調方式の復調を行ない、復号化部２０５１へ出力する。復号化部２０５１は、ＰＤＣＣＨのブラインドデコーディングを試み、ブラインドデコーディングに成功した場合、復号した下りリンク制御情報と下りリンク制御情報に含まれていたＲＮＴＩを上位層処理部２０１に出力する。復調部２０５３は、ＰＤＳＣＨに対して、ＱＰＳＫ、１６ＱＡＭ、６４ＱＡＭ等の下りリンク制御情報で通知された変調方式の復調を行ない、復号化部２０５１へ出力する。復号化部２０５１は、下りリンク制御情報で通知された符号化率に対する復号を行い、復号したデータ情報を上位層処理部２０１へ出力する。
【００８７】
チャネル測定部２０９は、多重分離部２０５５から入力された下りリンク参照信号から下りリンクのパスロスを測定し、測定したパスロスを上位層処理部２０１へ出力する。また、チャネル測定部２０９は、下りリンク参照信号から下りリンクの伝搬路の推定値を算出し、多重分離部２０５５へ出力する。
【００８８】
送信部２０７は、制御部２０３から入力された制御信号に従って、上りリンク参照信号を生成し、上位層処理部２０１から入力されたデータ情報を符号化および変調し、ＰＵＣＣＨ、ＰＵＳＣＨ、および生成した上りリンク参照信号を多重し、送受信アンテナ２１１を介して基地局装置３に送信する。符号化部２０７１は、上位層処理部２０１から入力された上りリンク制御情報を畳込み符号化、ブロック符号化等の符号化を行い、データ情報を下りリンク制御情報で通知された符号化率に基づいてターボ符号化を行なう。変調部２０７３は、符号化部２０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【００８９】
上りリンク参照信号生成部２０７９は、基地局装置３を識別するためのセル識別子、上りリンク参照信号を配置する帯域幅などを基に予め定められた規則で求まる、基地局装置３が既知の系列を生成する。多重部２０７５は、制御部２０３から入力された制御信号に従って、ＰＵＳＣＨの変調シンボルを並列に並び替えてから離散フーリエ変換（Discrete Fourier Transform: DFT）し、ＰＵＣＣＨとＰＵＳＣＨの信号と生成した上りリンク参照信号を多重する。
【００９０】
無線送信部２０７７は、多重した信号を逆高速フーリエ変換して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送受信アンテナ２１１に出力して送信する。
【００９１】
このように、本発明によれば、複数の移動局装置と、複数の移動局装置に下りリンク制御情報をＰＤＣＣＨで送信する無線通信システムにおいて、基地局装置３は、キャリアインディケータを含まないＤＣＩフォーマットと、キャリアインディケータを含むＤＣＩフォーマットそれぞれのビット数が同じ場合、キャリアインディケータを含むＤＣＩフォーマットに１ビットを挿入し、移動局装置１は、キャリアインディケータを含むＤＣＩフォーマットに１ビットが挿入されたとして復号する。
【００９２】
なお、本発明によれば、上記キャリアインディケータを含まないＤＣＩフォーマットとキャリアインディケータを含むＤＣＩフォーマットは同じＤＣＩフォーマットでもよい。また、本発明によれば、基地局装置３は、共通探索領域に配置されるＤＣＩフォーマットと、移動局装置固有探索領域に配置されるＤＣＩフォーマットそれぞれのビット数が同じ場合、移動局装置固有探索領域に配置されるＤＣＩフォーマットに１ビットを挿入し、移動局装置１は、移動局装置固有探索領域に配置されるＤＣＩフォーマットに１ビットが挿入されたとして復号する。
【００９３】
また、本発明によれば、共通探索領域と移動局装置固有探索領域が重複する領域にＤＣＩフォーマットを配置する場合のみ、基地局装置３は、当該ＤＣＩフォーマットにビットを挿入し、移動局装置１は、当該ＤＣＩフォーマットにビットが挿入されているとして復号する。これにより、移動局装置１は、ＤＣＩフォーマットのビット数の違い、つまり復号方法の違いから、共通探索領域と移動局装置固有探索領域が重複する領域にＤＣＩフォーマットの種類を識別することができる。
【００９４】
（第２の実施形態）
以下、図面を参照しながら本発明の第２の実施形態について詳しく説明する。
【００９５】
本発明の第２の実施形態では、共通探索領域と移動局装置固有探索領域が重複し、共通探索領域に配置するＤＣＩフォーマットのビット数と、移動局装置固有探索領域に配置するＤＣＩフォーマットのビット数が同じ場合、基地局装置３は当該領域には移動局装置固有探索領域に配置するＤＣＩフォーマットを配置せず、移動局装置１は当該領域では共通探索領域に配置されるＤＣＩフォーマットのみブラインドデコーディングする。
【００９６】
例えば、共通探索領域に４０ビットのＤＣＩフォーマット０／１Ａを配置し、移動局装置固有探索領域に４０ビットのＤＣＩフォーマット２と４１ビットのＤＣＩフォーマット０Ａを配置する場合、基地局装置３は、共通探索領域と移動局装置探索領域が重複した領域には、ＤＣＩフォーマット０／１ＡとＤＣＩフォーマット０Ａを配置し、共通探索領域に配置されるＤＣＩフォーマット０／１Ａと同じビット数のＤＣＩフォーマット２を配置せず、移動局装置１は、共通探索領域と移動局装置探索領域が重複した領域では、ＤＣＩフォーマット０／１ＡとＤＣＩフォーマット０Ａをブラインドデコーディングし、共通探索領域に配置されるＤＣＩフォーマット０／１Ａと同じビット数のＤＣＩフォーマット２をブラインドデコーディングしない。
【００９７】
本実施形態に係る無線通信システムと第１の実施形態に係る無線通信システムとを比較すると、基地局装置３の上位層処理部１０１および移動局装置１の上位層処理部２０１が異なる。しかし、他の構成要素が持つ構成および機能は、第１の実施形態と同じであるので、第１の実施形態と同じ機能についての説明は省略する。
【００９８】
第２の実施形態の基地局装置１の上位層処理部１０１の下りリンク制御情報生成部１０１５は、図６のフローチャート図に基づいて、ＤＣＩフォーマットにビットを挿入しない。また、上位層処理部１０１のスケジューリング部は、共通探索領域と移動局装置固有探索領域が重複した領域には、共通探索領域に配置するＤＣＩフォーマットのビット数と同じビット数の移動局装置固有探索領域に配置するＤＣＩフォーマットを配置しないよう、制御部１０３を介して送信部１０７を制御する。
【００９９】
第２の実施形態の移動局装置３の上位層処理部２０１のブラインドデコーディング制御部２０１５は、図６のフローチャート図に基づいて、ＤＣＩフォーマットにビットが挿入されたとしてビット数を計算しない。また、ブラインドデコーディング制御部２０１５は、共通探索領域と移動局装置固有探索領域が重複した領域では、共通探索領域に配置するＤＣＩフォーマットのビット数と同じビット数の移動局装置固有探索領域に配置するＤＣＩフォーマットのブラインドでコーディングをしないよう、制御部２０３を介して受信部２０７を制御する。
【０１００】
これにより、移動局装置１は、共通探索領域と移動局装置固有探索領域に配置されるＤＣＩフォーマットの種類を識別することができる。
【０１０１】
（第３の実施形態）
以下、図面を参照しながら本発明の第３の実施形態について詳しく説明する。
【０１０２】
図９は、本発明の第３の実施形態に係る探索領域の一例を示す概略図である。本発明の第３の実施形態では、移動局装置１と基地局装置３は、図９の８番から１５番の制御チャネル要素から構成されるＰＤＣＣＨ候補（図９の格子上の線でハッチングされたＰＤＣＣＨ候補）のように、共通探索領域と移動局装置固有探索領域が重複した場合（Ｔ１００）、移動局装置固有探索領域を構成するＰＤＣＣＨ候補を、共通探索領域と重複する移動局装置固有探索領域のＰＤＣＣＨ候補から、共通探索領域に含まれない２４番から３１番の制御チャネル要素から構成されるＰＤＣＣＨ候補に変更する（Ｔ１０１）。
【０１０３】
本実施形態に係る無線通信システムと第１の実施形態に係る無線通信システムとを比較すると、基地局装置３の上位層処理部１０１および移動局装置１の上位層処理部２０１が異なる。しかし、他の構成要素が持つ構成および機能は、第１の実施形態と同じであるので、第１の実施形態と同じ機能についての説明は省略する。
【０１０４】
第３の実施形態の基地局装置１の上位層処理部１０１の下りリンク制御情報生成部１０１５は、図６のフローチャート図に基づいて、ＤＣＩフォーマットにビットを挿入しない。また、上位層処理部１０１のスケジューリング部は、共通探索領域と移動局装置固有探索領域が重複した場合、移動局装置固有探索領域を構成するＰＤＣＣＨ候補を、共通探索領域と重複する移動局装置固有探索領域のＰＤＣＣＨ候補から、共通探索領域に含まれないＰＤＣＣＨ候補に変更する。
【０１０５】
第３の実施形態の移動局装置３の上位層処理部２０１のブラインドデコーディング制御部２０１５は、図６のフローチャート図に基づいて、ＤＣＩフォーマットにビットが挿入されたとしてビット数を計算しない。また、ブラインドデコーディング制御部２０１５は、共通探索領域と移動局装置固有探索領域が重複した場合、移動局装置固有探索領域を構成するＰＤＣＣＨ候補を、共通探索領域と重複する移動局装置固有探索領域のＰＤＣＣＨ候補から、共通探索領域に含まれないＰＤＣＣＨ候補に変更する。
【０１０６】
これにより、第１の実施形態のようにＤＣＩフォーマットにビットを挿入しなくても、移動局装置１は、共通探索領域と移動局装置固有探索領域に配置されるＤＣＩフォーマットの種類を識別することができるため、ＰＤＣＣＨまたはＤＣＩまたはＤＣＩフォーマットの符号化率を低く保つことができる。また、第２の実施形態のように、共通探索領域に配置するＤＣＩフォーマットと同じビット数の移動局装置固有探索領域に配置するＤＣＩフォーマットを配置できるＰＤＣＣＨ候補が制限されないため、ＤＣＩフォーマットの配置の自由度が保たれる。
【０１０７】
以下、図面を参照しながら本発明の第３の実施形態の変形例について詳しく説明する。
【０１０８】
本発明の第３の実施形態の変形例では、移動局装置１と基地局装置３は、図９の共通探索領域を構成する０番から１５番の制御チャネル要素から構成されるＰＤＣＣＨ候補を、ＰＤＣＣＨ候補を構成する制御チャネル要素の数が共通探索領域と同じ４と８の移動局装置固有探索領域では含まないようにする。
【０１０９】
具体的には、移動局装置固有探索領域を構成する制御チャネル要素およびＰＤＣＣＨ候補は、移動局装置１が割り当てられたＣ−ＲＮＴＩやサブフレームを識別するための番号などをハッシング関数に入力することで求めることができる。第３の実施形態の変形例では、ＰＤＣＣＨ候補を構成する制御チャネル要素の数が共通探索領域と同じ４と８の移動局装置固有探索領域を決定する際には、図９の０番から１５番を除いた１６番から４７番の制御チャネル要素から移動局装置固有探索領域を決定し、ＰＤＣＣＨ候補を構成する制御チャネル要素の数が共通探索領域と異なる１と２の移動局装置固有探索領域を決定する際には、図９の０番から４７番の全ての制御チャネル要素から移動局装置固有探索領域を決定する。
【０１１０】
第３の実施形態では、全ての制御チャネル要素から移動局装置固有探索領域を決定し、共通探索領域と移動局装置固有探索領域が重複した場合に、共通探索領域と移動局装置固有探索領域が重複しないように移動局装置固有探索領域を変更するのに対し、第３の実施形態の変形例では、共通探索領域と移動局装置固有探索領域が重複しないように、ＰＤＣＣＨ候補を構成する制御チャネル要素の数が共通探索領域と同じ移動局装置固有探索領域を決定する際には、共通探索領域に用いられる制御チャネル要素を除いた制御チャネル要素から移動局装置固有探索領域を決定する点が異なる。
【０１１１】
これにより、第１の実施形態のようにＤＣＩフォーマットにビットを挿入しなくても、移動局装置１は、共通探索領域と移動局装置固有探索領域に配置されるＤＣＩフォーマットの種類を識別することができるため、ＰＤＣＣＨまたはＤＣＩまたはＤＣＩフォーマットの符号化率を低く保つことができる。また、第２の実施形態のように、共通探索領域に配置するＤＣＩフォーマットと同じビット数の移動局装置固有探索領域に配置するＤＣＩフォーマットを配置できるＰＤＣＣＨ候補が制限されないため、ＤＣＩフォーマットの配置の自由度が保たれる。
【０１１２】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１１３】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。尚、ここでいう「コンピュータシステム」とは、移動局装置１、又は基地局装置３に内蔵されたコンピュータシステムであって、ＯＳや周辺機器等のハードウェアを含むものとする。
【０１１４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１１５】
また、上述した実施形態における移動局装置１、基地局装置３の一部、又は全部を典型的には集積回路であるＬＳＩとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１１６】
（Ａ）また、本願発明は、以下のような態様を採ることも可能である。すなわち、本発明の無線通信システムは、移動局装置と、前記移動局装置に制御情報を送信する基地局装置を有する無線通信システムであって、前記基地局装置は、前記制御情報のフォーマットでありコンポーネントキャリアを示す情報を含めた第１フォーマットの情報ビット数が所定のビット数である場合、前記第１フォーマットに少なくとも１ビットを挿入して第１ペイロードサイズを決定し、前記第１ペイロードサイズの前記第１フォーマットを前記移動局装置に送信し、前記移動局装置は、前記第１フォーマットが前記第１ペイロードサイズであるものとして前記第１フォーマットの受信処理を行なう。
【０１１７】
（Ｂ）また、本発明の無線通信システムにおいて、前記所定のビット数は、前記制御情報のフォーマットでありコンポーネントキャリアを示す情報を含まない第２フォーマットのペイロードサイズのビット数である。
【０１１８】
（Ｃ）また、本発明の無線通信システムにおいて、前記第１フォーマットは前記第２フォーマットにコンポーネントキャリアを示す情報を含めたフォーマットである。
【０１１９】
（Ｄ）また、本発明の無線通信システムにおいて、前記第２フォーマットは共通探索領域に配置され、前記第１フォーマットは移動局装置固有探索領域に配置される。
【０１２０】
（Ｅ）また、本発明の無線通信システムにおいて、前記基地局装置は、共通探索領域と移動局装置固有探索領域が重複する領域に前記第１フォーマットを配置する場合に、前記第１フォーマットにビットを挿入し、前記移動局装置は、共通探索領域と移動局装置固有探索領域が重複する領域に前記第１フォーマットが配置される場合に、前記第２フォーマットにビットが挿入されているとして受信処理を行なう。
【０１２１】
（Ｆ）また、本発明の無線通信システムにおいて、前記第１フォーマットおよび前記第２フォーマットは同じ前記移動局装置に対して送信する制御情報である。
【０１２２】
（Ｇ）また、本発明の無線通信は、移動局装置と、前記移動局装置に制御情報を送信する基地局装置を有する無線通信システムであって、前記基地局装置は、前記制御情報のフォーマットであり共通探索領域に配置される第１フォーマットのビット数と、前記制御情報のフォーマットであり移動局装置固有探索領域に配置される第２フォーマットのビット数が同じ場合、共通探索領域と移動局装置固有探索領域が重複する領域には、第２フォーマットを配置せず第１フォーマットのみ配置し、前記第１フォーマットを送信し、前記移動局装置は、前記制御情報のフォーマットであり共通探索領域に配置される第１フォーマットのビット数と、前記制御情報のフォーマットであり移動局装置固有探索領域にのみ配置される第２フォーマットのビット数が同じ場合、共通探索領域と移動局装置固有探索領域が重複する領域では、第２フォーマットの受信処理を行わず、第１フォーマットの受信処理のみ行う。
【０１２３】
（Ｈ）また、本発明の無線通信システムは、移動局装置と、前記移動局装置に制御情報を送信する基地局装置を有する無線通信システムであって、前記基地局装置と前記移動局装置は、共通探索領域を予め決められた制御チャネル要素から構成し、ＰＤＣＣＨ候補を構成する制御チャネル要素の数が共通探索領域と同じ移動局装置固有探索領域を、共通探索領域に用いられる制御チャネル要素を除いた制御チャネル要素から構成し、ＰＤＣＣＨ候補を構成する制御チャネル要素の数が共通探索領域と異なる移動局装置固有探索領域を、全ての制御チャネル要素から構成する。
【０１２４】
（Ｉ）また、本発明の基地局装置は、移動局装置に制御情報を送信する基地局装置であって、前記制御情報のフォーマットでありコンポーネントキャリアを示す情報を含めた第１フォーマットの情報ビット数が所定のビット数である場合、前記第１フォーマットに少なくとも１ビットを挿入して第１ペイロードサイズを決定し、前記第１ペイロードサイズの前記第１フォーマットを前記移動局装置に送信する。
【０１２５】
（Ｊ）また、本発明の基地局装置は、移動局装置に制御情報を送信する基地局装置であって、前記制御情報のフォーマットであり共通探索領域に配置される第１フォーマットのビット数と、前記制御情報のフォーマットであり移動局装置固有探索領域に配置される第２フォーマットのビット数が同じ場合、共通探索領域と移動局装置固有探索領域が重複する領域には、第２フォーマットを配置せず第１フォーマットのみ配置し、前記第１フォーマットを送信する。
【０１２６】
（Ｋ）また、本発明の基地局装置は、移動局装置に制御情報を送信する基地局装置であって、共通探索領域を予め決められた制御チャネル要素から構成し、ＰＤＣＣＨ候補を構成する制御チャネル要素の数が共通探索領域と同じ移動局装置固有探索領域を、共通探索領域に用いられる制御チャネル要素を除いた制御チャネル要素から構成し、ＰＤＣＣＨ候補を構成する制御チャネル要素の数が共通探索領域と異なる移動局装置固有探索領域を、全ての制御チャネル要素から構成する。
【０１２７】
（Ｌ）また、本発明の移動局装置は、基地局装置から送信される制御情報を受信する移動局装置であって、前記制御情報のフォーマットでありコンポーネントキャリアを示す情報を含めた第１フォーマットの情報ビット数が所定のビット数である場合、前記第１フォーマットに少なくとも１ビットを挿入して第１ペイロードサイズを決定し、前記第１フォーマットが前記第１ペイロードサイズであるものとして前記第１フォーマットを受信する。
【０１２８】
（Ｍ）また、本発明の移動局装置は、基地局装置から送信される制御情報を受信する移動局装置であって、前記制御情報のフォーマットであり共通探索領域に配置される第１フォーマットのビット数と、前記制御情報のフォーマットであり移動局装置固有探索領域にのみ配置される第２フォーマットのビット数が同じ場合、共通探索領域と移動局装置固有探索領域が重複する領域では、第２フォーマットの受信処理を行わず、第１フォーマットの受信処理のみ行う。
【０１２９】
（Ｎ）また、本発明の移動局装置は、基地局装置から送信される制御情報を受信する移動局装置であって、共通探索領域を予め決められた制御チャネル要素から構成し、ＰＤＣＣＨ候補を構成する制御チャネル要素の数が共通探索領域と同じ移動局装置固有探索領域を、共通探索領域に用いられる制御チャネル要素を除いた制御チャネル要素から構成し、ＰＤＣＣＨ候補を構成する制御チャネル要素の数が共通探索領域と異なる移動局装置固有探索領域を、全ての制御チャネル要素から構成することを特徴としている。
【０１３０】
（Ｏ）また、本発明の無線通信方法は、移動局装置に制御情報を送信する基地局装置に用いられる無線通信方法であって、前記制御情報のフォーマットでありコンポーネントキャリアを示す情報を含めた第１フォーマットの情報ビット数が所定のビット数である場合、前記第１フォーマットに少なくとも１ビットを挿入して第１ペイロードサイズを決定する手段、前記第１ペイロードサイズの前記第１フォーマットを前記移動局装置に送信する手段を有する。
【０１３１】
（Ｐ）また、本発明の無線通信方法は、移動局装置に制御情報を送信する基地局装置に用いられる無線通信方法であって、前記制御情報のフォーマットであり共通探索領域に配置される第１フォーマットのビット数と、前記制御情報のフォーマットであり移動局装置固有探索領域に配置される第２フォーマットのビット数が同じ場合、共通探索領域と移動局装置固有探索領域が重複する領域には、第２フォーマットを配置せず第１フォーマットのみ配置する手段、前記第１フォーマットを送信する手段を有する。
【０１３２】
（Ｑ）また、本発明の無線通信方法は、移動局装置に制御情報を送信する基地局装置に用いられる無線通信方法であって、共通探索領域を予め決められた制御チャネル要素から構成する手段、ＰＤＣＣＨ候補を構成する制御チャネル要素の数が共通探索領域と同じ移動局装置固有探索領域を、共通探索領域に用いられる制御チャネル要素を除いた制御チャネル要素から構成する手段、ＰＤＣＣＨ候補を構成する制御チャネル要素の数が共通探索領域と異なる移動局装置固有探索領域を、全ての制御チャネル要素から構成する手段を有する。
【０１３３】
（Ｒ）また、本発明の無線通信方法は、基地局装置から送信される制御情報を受信する移動局装置に用いられる無線通信方法であって、前記制御情報のフォーマットでありコンポーネントキャリアを示す情報を含めた第１フォーマットの情報ビット数が所定のビット数である場合、前記第１フォーマットに少なくとも１ビットを挿入して第１ペイロードサイズを決定する手段、前記第１フォーマットが前記第１ペイロードサイズであるものとして前記第１フォーマットを受信する手段を有する。
【０１３４】
（Ｓ）また、本発明の無線通信方法は、基地局装置から送信される制御情報を受信する移動局装置に用いられる無線通信方法であって、前記制御情報のフォーマットであり共通探索領域に配置される第１フォーマットのビット数と、前記制御情報のフォーマットであり移動局装置固有探索領域にのみ配置される第２フォーマットのビット数が同じ場合、共通探索領域と移動局装置固有探索領域が重複する領域では、第２フォーマットの受信処理を行わず、第１フォーマットの受信処理のみ行う手段を有する。
【０１３５】
（Ｔ）また、本発明の無線通信方法は、基地局装置から送信される制御情報を受信する移動局装置に用いられる無線通信方法であって、共通探索領域を予め決められた制御チャネル要素から構成する手段、ＰＤＣＣＨ候補を構成する制御チャネル要素の数が共通探索領域と同じ移動局装置固有探索領域を、共通探索領域に用いられる制御チャネル要素を除いた制御チャネル要素から構成する手段、ＰＤＣＣＨ候補を構成する制御チャネル要素の数が共通探索領域と異なる移動局装置固有探索領域を、全ての制御チャネル要素から構成する手段を有する。
【０１３６】
（Ｕ）また、本発明の集積回路は、移動局装置に制御情報を送信する基地局装置に用いられる集積回路であって、前記制御情報のフォーマットでありコンポーネントキャリアを示す情報を含めた第１フォーマットの情報ビット数が所定のビット数である場合、前記第１フォーマットに少なくとも１ビットを挿入して第１ペイロードサイズを決定する手段、前記第１ペイロードサイズの前記第１フォーマットを前記移動局装置に送信する手段を有する。
【０１３７】
（Ｖ）また、本発明の集積回路は、移動局装置に制御情報を送信する基地局装置に用いられる集積回路であって、前記制御情報のフォーマットであり共通探索領域に配置される第１フォーマットのビット数と、前記制御情報のフォーマットであり移動局装置固有探索領域に配置される第２フォーマットのビット数が同じ場合、共通探索領域と移動局装置固有探索領域が重複する領域には、第２フォーマットを配置せず第１フォーマットのみ配置する手段、前記第１フォーマットを送信する手段を有する。
【０１３８】
（Ｗ）また、本発明の集積回路は、移動局装置に制御情報を送信する基地局装置に用いられる集積回路であって、共通探索領域を予め決められた制御チャネル要素から構成する手段、ＰＤＣＣＨ候補を構成する制御チャネル要素の数が共通探索領域と同じ移動局装置固有探索領域を、共通探索領域に用いられる制御チャネル要素を除いた制御チャネル要素から構成する手段、ＰＤＣＣＨ候補を構成する制御チャネル要素の数が共通探索領域と異なる移動局装置固有探索領域を、全ての制御チャネル要素から構成する手段を有する。
【０１３９】
（Ｘ）また、本発明の集積回路は、基地局装置から送信される制御情報を受信する移動局装置に用いられる集積回路であって、前記制御情報のフォーマットでありコンポーネントキャリアを示す情報を含めた第１フォーマットの情報ビット数が所定のビット数である場合、前記第１フォーマットに少なくとも１ビットを挿入して第１ペイロードサイズを決定する手段、前記第１フォーマットが前記第１ペイロードサイズであるものとして前記第１フォーマットを受信する手段を有する。
【０１４０】
（Ｙ）また、本発明の集積回路は、基地局装置から送信される制御情報を受信する移動局装置に用いられる集積回路であって、前記制御情報のフォーマットであり共通探索領域に配置される第１フォーマットのビット数と、前記制御情報のフォーマットであり移動局装置固有探索領域にのみ配置される第２フォーマットのビット数が同じ場合、共通探索領域と移動局装置固有探索領域が重複する領域では、第２フォーマットの受信処理を行わず、第１フォーマットの受信処理のみ行う手段を有する。
【０１４１】
（Ｚ）また、本発明の集積回路は、基地局装置から送信される制御情報を受信する移動局装置に用いられる集積回路であって、共通探索領域を予め決められた制御チャネル要素から構成する手段、ＰＤＣＣＨ候補を構成する制御チャネル要素の数が共通探索領域と同じ移動局装置固有探索領域を、共通探索領域に用いられる制御チャネル要素を除いた制御チャネル要素から構成する手段、ＰＤＣＣＨ候補を構成する制御チャネル要素の数が共通探索領域と異なる移動局装置固有探索領域を、全ての制御チャネル要素から構成する手段を有する。
【０１４２】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１４３】
１（１Ａ、１Ｂ、１Ｃ）  移動局装置
３  基地局装置
１０１  上位層処理部
１０３  制御部
１０５  受信部
１０７  送信部
１０９  チャネル測定部
２０１  上位層処理部
２０３  制御部
２０５  受信部
２０７  送信部
２０９  チャネル測定部
１０１３  スケジューリング部
１０１５  下りリンク制御情報生成部
２０１３  スケジューリング部
２０１５  ブラインドデコーディング制御部
【図１】
0005417409.tif 000002
【図２】
0005417409.tif 000003
【図３】
0005417409.tif 000004
【図４】
0005417409.tif 000005
【図５】
0005417409.tif 000006
【図６】
0005417409.tif 000007
【図７】
0005417409.tif 000008
【図８】
0005417409.tif 000009
【図９】
0005417409.tif 000010